(57)【特許請求の範囲】
【請求項１】
バルコニー床面や屋上等の平場に貼設される防水シートの側端部と、平場に設けられる立ち上がり部の表面に貼設されるとともに屋外側に外装材が配置される防水シートの下端部とを重ね合わせながら接着してなる立ち上がり部の防水構造において、
前記平場側の防水シートと立ち上がり部側の防水シートとのうち、少なくとも一方の防水シートは、他方の防水シート側端部に沿って設けられるとともに互いに分離された複数の分離シートを備えており、
前記他方の防水シートの一方の防水シート側端部は、前記複数の分離シート間に挟み込まれるとともに、該他方の防水シートを挟み込む複数の分離シートそれぞれに接着されており、
前記複数の分離シートが他方の防水シート側に向かって延出する長さは、これら複数の分離シートが屋外側から内側に向かって並ぶ順に従って長くなるように設定されており、
これら複数の分離シートの延出方向側端部と、前記他方の防水シートとがそれぞれ接着されていることを特徴とする立ち上がり部の防水構造。
【請求項２】
請求項１に記載の立ち上がり部の防水構造において、
前記複数の分離シートのうち、屋外側に位置する分離シートによって、この屋外側の分離シートよりも内側に位置する分離シートが、劣化因子から保護されていることを特徴とする立ち上がり部の防水構造。
【請求項３】
請求項１または２に記載の立ち上がり部の防水構造において、
前記一方の防水シートは、前記立ち上がり部側の防水シートであり、
この立ち上がり部側の防水シートが備える複数の分離シートは少なくとも３枚以上に設定されていることを特徴とする立ち上がり部の防水構造。
【請求項４】
請求項１または２に記載の立ち上がり部の防水構造において、
前記一方の防水シートは、前記平場側の防水シートであり、
この平場側の防水シートが備える複数の分離シートは２枚に設定されていることを特徴とする立ち上がり部の防水構造。
【請求項５】
請求項１〜４のいずれか一項に記載の立ち上がり部の防水構造において、
前記複数の分離シートのうち、屋外側に位置する分離シートと、この屋外側の分離シートよりも内側に位置する分離シートとの間に、接着不良確認用の塗料が、前記複数の分離シートと他方の防水シートとの接着部分よりも内側に位置するようにして塗布されていることを特徴とする立ち上がり部の防水構造。
【発明の詳細な説明】
【技術分野】
【０００１】
本発明は、バルコニー床面や屋上等の平場に貼設される防水シートと、立ち上がり部の表面に貼設されるとともに屋外側に外装材が配置される防水シートとを重ね合わせながら接着してなる立ち上がり部の防水構造に関する。
【背景技術】
【０００２】
バルコニーや屋根の立ち上がり部においては、床面等の平場に貼設される防水シートの端部と、平場に設けられる壁等の立ち上がり部の表面に貼設される防水シートの端部とを重ね合わせながら溶着することによって防水を確保している。
また、このような防水シートを改修する際には、立ち上がり部に固定されて取り外せない外装材を考慮し、予め、防水シート同士を重ね貼りした部分の上から、絶縁体を介して増し貼りシートを貼設しておく技術が知られている（例えば、特許文献１参照）。
この技術によれば、絶縁体を取り出すとともに、既設の増し貼りシートと、絶縁体があった場所に新設される防水シートの端部とを重ね合わせて溶着することによって、外装材を取り外すことなく、平場側の防水シートを改修できる。
【先行技術文献】
【特許文献】
【０００３】
【特許文献１】特開２００７−１４６３６７号公報
【発明の概要】
【発明が解決しようとする課題】
【０００４】
ところが、改修後も立ち上がり部の防水を担うべき増し貼りシートは、改修前から長期にわたって屋外に露出しており、劣化を免れることができない。このため、防水性の向上はもちろんのこと、増し貼りシートの交換に係る無駄なコストや施工手間を省略できる技術の開発が望まれていた。
【０００５】
本発明の課題は、防水性を向上できるとともに、無駄なコストや施工手間を省略することが可能な立ち上がり部の防水構造を提供することを目的とする。
【課題を解決するための手段】
【０００６】
請求項１に記載の発明は、例えば図１〜図６に示すように、バルコニー床面や屋上等の平場１に貼設される防水シート４の側端部と、平場１に設けられる立ち上がり部２の表面に貼設されるとともに屋外側に外装材３が配置される防水シート５の下端部とを重ね合わせながら接着してなる立ち上がり部の防水構造において、
前記平場１側の防水シート４と立ち上がり部２側の防水シート５とのうち、少なくとも一方の防水シート４（５）は、他方の防水シート５（４）側端部に沿って設けられるとともに互いに分離された複数の分離シート６，６を備えており、
前記他方の防水シート５（４）の一方の防水シート４（５）側端部は、前記複数の分離シート６，６間に挟み込まれるとともに、該他方の防水シート５（４）を挟み込む複数の分離シート６，６それぞれに接着されており、
前記複数の分離シート６，６が他方の防水シート５（４）側に向かって延出する長さは、これら複数の分離シート６，６が屋外側から内側に向かって並ぶ順に従って長くなるように設定されており、
これら複数の分離シート６，６の延出方向側端部と、前記他方の防水シート５（４）とがそれぞれ接着されていることを特徴とする。
【０００７】
請求項１に記載の発明によれば、前記他方の防水シート５（４）の一方の防水シート４（５）側端部は、前記複数の分離シート６，６間に挟み込まれるとともに、該他方の防水シート５（４）を挟み込む複数の分離シート６，６それぞれに接着されているので、前記他方の防水シート５（４）と複数の分離シート６，６とが、他方の防水シート５（４）の表裏面２ヶ所で接着されることになる。これによって、一方の防水シート４（５）と他方の防水シート５（４）とを単に重ね合わせながら接着するだけの場合に比して防水性を向上させることができる。
また、前記一方の防水シート４（５）と他方の防水シート５（４）とのうち、劣化した方の防水シートと、前記複数の分離シート６，６のうち、最も屋外側に位置する分離シート６とを取り除くことによって、屋外側に位置する分離シート６の内側から他の分離シート６が現出することになる。これによって、防水シートの改修時には、この新たに現出した分離シート６を利用して、再び立ち上がり部２の防水処理を行うことができるので、従来に比して、無駄なコストや施工手間を省略することができる。
また、前記複数の分離シート６，６の延出長さが、複数の分離シート６，６が屋外側から内側に向かって並ぶ順に従って長くなるように設定されており、これら複数の分離シート６，６の延出方向側端部と、前記他方の防水シート５（４）とがそれぞれ接着されているので、前記複数の分離シート６，６と他方の防水シート５（４）との２ヶ所の接着部分（例えば、接着部８，８）は水平方向に離間することになる。すなわち、内側に位置する分離シート６は、屋外側に位置する分離シート６の延出長さよりも長く延出しており、延出する部分を、接着しろとして利用することができるので、他方の防水シート５（４）を接着しやすくなる。これによって、前記他方の防水シート５（４）と複数の分離シート６，６とを、他方の防水シート５（４）の表裏面２ヶ所で容易かつ確実に接着することができる。
【０００８】
請求項２に記載の発明は、例えば図１〜図６に示すように、請求項１に記載の立ち上がり部の防水構造において、
前記複数の分離シート６，６のうち、屋外側に位置する分離シート６によって、この屋外側の分離シート６よりも内側に位置する分離シート６が、劣化因子から保護されていることを特徴とする。
【０００９】
請求項２に記載の発明によれば、前記複数の分離シート６，６のうち、屋外側に位置する分離シート６によって、この屋外側の分離シート６よりも内側に位置する分離シート６が、劣化因子から保護されているので、この内側に位置する分離シート６の劣化を確実に防ぐことができる。これによって、防水シートの改修時には、この内側に位置する分離シート６を利用して、再び立ち上がり部２の防水処理を行うことができるので、従来に比して、無駄なコストや施工手間をより確実に省略することができる。
【００１２】
請求項３に記載の発明は、例えば図１〜図４に示すように、請求項１または２に記載の立ち上がり部の防水構造において、
前記一方の防水シートは、前記立ち上がり部２側の防水シート５であり、
この立ち上がり部２側の防水シート５が備える複数の分離シート６，６は少なくとも３枚以上に設定されていることを特徴とする。
【００１３】
請求項３に記載の発明によれば、前記一方の防水シートである立ち上がり部２側の防水シート５が備える複数の分離シート６，６は少なくとも３枚以上に設定されているので、まず、屋外側に位置する１枚目の分離シート６と、その内側に位置する２枚目の分離シート６との間に平場１側の防水シート４を挟み込むことができる。さらに、改修時には、平場１側の防水シート４と１枚目の分離シート６とを取り除いた後、前記２枚目の分離シート６と、その内側に位置する３枚目の分離シート６との間に、新設する平場１側の防水シート４を挟み込むことができる。これによって、少なくとも２回の防水シートの改修を行うことができる。
【００１４】
請求項４に記載の発明は、例えば図５および図６に示すように、請求項１または２に記載の立ち上がり部の防水構造において、
前記一方の防水シートは、前記平場１側の防水シート４であり、
この平場１側の防水シート４が備える複数の分離シート６，６は２枚に設定されていることを特徴とする。
【００１５】
請求項４に記載の発明によれば、一方の防水シートである平場１側の防水シート４が備える複数の分離シート６，６は２枚に設定されているので、改修時には、屋外側に位置する分離シート６よりも下方に位置する分離シート６を、立ち上がり部２側の防水シート５である他方の防水シート５の下方に留めておいたまま、平場１側の防水シート４と屋外側に位置する分離シート６とを取り除くことができる。これによって、新設される平場１側の防水シート４と屋外側に位置する分離シート６との貼り替えと、複数の分離シート６，６同士の接着を行うだけで、複数回、防水シートの改修を行うことができる。
【００１６】
請求項５に記載の発明は、例えば図１および図４，図５に示すように、請求項１〜４のいずれか一項に記載の立ち上がり部の防水構造において、
前記複数の分離シート６，６のうち、屋外側に位置する分離シート６と、この屋外側の分離シート６よりも内側に位置する分離シート６との間に、接着不良確認用の塗料９が、前記複数の分離シート６，６と他方の防水シート５（４）との接着部分（例えば、接着部８，８）よりも内側に位置するようにして塗布されていることを特徴とする。
【００１７】
請求項５に記載の発明によれば、前記複数の分離シート６，６のうち、屋外側に位置する分離シート６と、この屋外側の分離シート６よりも内側に位置する分離シート６との間に、接着不良確認用の塗料９が、前記複数の分離シート６，６と他方の防水シート５（４）との接着部分よりも内側に位置するようにして塗布されているので、接着不良箇所から塗料９が漏出することになる。これによって、接着不良箇所を見つけることができるので、複数の分離シート６，６と他方の防水シート５（４）との接着不良を確実に防ぐことができる。
【発明の効果】
【００１８】
本発明によれば、他方の防水シートの一方の防水シート側端部は、複数の分離シート間に挟み込まれるとともに、該他方の防水シートを挟み込む複数の分離シートそれぞれに接着されているので、他方の防水シートと複数の分離シートとが、他方の防水シートの表裏面２ヶ所で接着されることになる。これによって、一方の防水シートと他方の防水シートとを単に重ね合わせながら接着するだけの場合に比して防水性を向上させることができる。
また、一方の防水シートと他方の防水シートとのうち、劣化した方の防水シートと、複数の分離シートのうち、最も屋外側に位置する分離シートとを取り除くことによって、屋外側に位置する分離シートの内側から他の分離シートが現出することになる。これによって、防水シートの改修時には、この新たに現出した分離シートを利用して、再び立ち上がり部の防水処理を行うことができるので、従来に比して、無駄なコストや施工手間を省略することができる。
【図面の簡単な説明】
【００１９】
【図１】本発明に係る立ち上がり部の防水構造の一例を示す断面図である。
【図２】分離シートの取付状態の一例を示す拡大図である。
【図３】分離シートの取付状態の一例を示す拡大図である。
【図４】防水シート改修後の状態を示す断面図である。
【図５】本発明に係る立ち上がり部の防水構造の一例を示す断面図である。
【図６】分離シートの取付状態の一例を示す拡大図である。
【発明を実施するための形態】
【００２０】
（第１の実施の形態）
以下、図面を参照して本発明の第１の実施の形態について説明する。
図１は本発明に係る立ち上がり部の防水構造の一例を示す断面図である。
図１において符号１は平場を示しており、符号２は立ち上がり部を示す。平場１は、バルコニー床面や屋上等のように、建物の屋外に面する平らな部分を指しており、立ち上がり部２は、建物の外壁やパラペット等を指しており、平場１から上方に立ち上がるようにして設けられている。
前記平場１の上面には平場側防水シート４が貼設されており、立ち上がり部２の表面には立ち上がり部側防水シート５が貼設されている。また、この立ち上がり部側防水シート５の屋外側には、該立ち上がり部側防水シート５の表面から間隔をあけるとともに、立ち上がり部２に取付固定される外装材３が配置されている。この外装材３の下端部は、前記平場１付近の高さに位置している。
そして、これら平場１と立ち上がり部２との納まり部において、平場側防水シート４の立ち上がり部２側端部と、立ち上がり部側防水シート５の下端部とが重ね合わせられ接着されるようになっている。
【００２１】
なお、このような防水シート４，５を用いて防水層を形成するシート防水工法では、例えば厚みが１．５〜２．５ｍｍの防水シートを使用する。この防水シートとしては、通常、樹脂製やゴム製のものがあり、本実施の形態においては、樹脂製の防水シートが採用されている。
また、樹脂製の防水シートとしては、塩化ビニル系樹脂、オレフィン系樹脂、アクリル系樹脂、熱可塑性エラストマー等があり、本実施の形態においては塩化ビニル系樹脂が採用されている。
また、防水シート４，５の貼設は、エポキシ樹脂系、ウレタン樹脂系、合成ゴム系等の接着剤で行ってもよいし、ホットメルト系樹脂、塩化ビニル系樹脂、オレフィン系樹脂等で被覆した固定金具または成形板を用いて機械的に固定してもよい。
【００２２】
ここで、前記立ち上がり部側防水シート５は、平場側防水シート４側端部に沿って設けられるとともに互いに分離された３枚の分離シート６，６，６を備えている。
本実施の形態の分離シート６は、図２に示すように、立ち上がり部側防水シート５自身の平場側防水シート４側端部と、この立ち上がり部側防水シート５の平場側防水シート４側端部の裏面に、該平場側防水シート４側端部に沿って接着されて設けられる帯状シートと、さらに、この帯状シートの裏面に接着されて設けられる帯状シートとを指している。すなわち、帯状シートからなる分離シート６を、立ち上がり部側防水シート５の裏面側に、順に貼り重ねていくような形態となっている。
なお、この帯状シートとしては、前記防水シート４，５と同様に、塩化ビニル系樹脂の防水シートが採用されている。
【００２３】
また、前記立ち上がり部側防水シート５自身の平場側防水シート４側端部からなる分離シート６と、前記帯状シートからなる分離シート６と、分離シート６，６同士の接着の方法として、具体的に熱または溶剤による溶着がなされており、図２では、溶着がなされた部分を、接着部７として示している。
【００２４】
なお、本実施の形態においては分離シートを３枚に設定したが、これに限るものではなく、３枚以上に設定してもよいものとする。
また、本実施の形態においては、帯状シートからなる分離シート６を、立ち上がり部側防水シート５の平場側防水シート４側端部の裏面に接着したが、これに限るものではなく、図３に示すように、立ち上がり部側防水シート５の平場側防水シート４側端部の表面に接着して設けるようにしてもよい。すなわち、帯状シートからなる分離シート６を、立ち上がり部側防水シート５の表面側に、順に貼り重ねていくような形態である。
【００２５】
また、以上のように帯状シートからなる分離シート６を、前記立ち上がり部側防水シート５の表面側や裏面側に順に貼り重ねていくため、複数の分離シート６，６，６は、屋外側に位置する分離シート６と、この分離シート６よりも内側（立ち上がり部２の表面側）に位置する２枚の分離シート６，６となるように配置されることになる。
したがって、前記複数の分離シート６，６，６のうち、屋外側に位置する分離シート６によって、この屋外側の分離シート６よりも内側に位置する分離シート６，６が、劣化因子から保護されており、この内側に位置する分離シート６，６の劣化を確実に防ぐことが可能となっている。
【００２６】
また、これら複数の分離シート６，６，６が前記平場側防水シート４側に向かって延出する長さは、図２に示すように、これら複数の分離シート６，６，６が屋外側から内側に向かって並ぶ順に従って長くなるように設定されている。
つまり、最も屋外側に位置する立ち上がり部側防水シート５自身の平場側防水シート４側端部からなる分離シート６の延出長さが一番短く、最も内側に位置する分離シート６の延出長さが一番長くなるように設定されている。
【００２７】
そして、前記平場側防水シート４の立ち上がり部側防水シート５側端部は、図１に示すように、前記複数の分離シート６，６間に挟み込まれるとともに、該平場側防水シート４を挟み込む複数の分離シート６，６それぞれに接着されている。
すなわち、前記平場側防水シート４の立ち上がり部側防水シート５側端部は、前記立ち上がり部側防水シート５自身の平場側防水シート４側端部からなる分離シート６と、この分離シート６よりも内側に位置する前記帯状シートからなる分離シート６との間に挟み込まれている。
また、これら複数の分離シート６，６の延出方向側端部と、前記平場側防水シート４とがそれぞれ接着されている。
【００２８】
さらに、このように複数の分離シート６，６の延出方向側端部と、前記平場側防水シート４とがそれぞれ接着されることによって、これら複数の分離シート６，６と前記平場側防水シート４との２ヶ所の接着部８，８は水平方向に離間することになる。
つまり、帯状シートからなる分離シート６の前記平場側防水シート４側への延出長さは、立ち上がり部側防水シート５自身の平場側防水シート４側端部からなる分離シート６の延出長さよりも長くなるように設定されているから、これら延出する部分を、接着しろとして利用することができるので、前記平場側防水シート４を、分離シート６，６に対して接着しやすくなる。
なお、複数の分離シート６，６と前記平場側防水シート４との接着の方法としては、具体的に熱または溶剤による溶着がなされている。
【００２９】
また、図１に示すように、前記複数の分離シート６，６のうち、屋外側に位置する分離シート６と、この屋外側の分離シート６よりも内側に位置する分離シート６との間に、接着不良確認用の塗料９が、前記接着部８，８よりも内側に位置するようにして塗布されている。
このように塗料９を塗布しておくことによって、前記複数の分離シート６，６と平場側防水シート４との接着部８，８に接着不良箇所があった場合、この接着不良箇所から塗料９が漏出することになるので、複数の分離シート６，６と平場側防水シート４との接着不良を確実に防ぐことができる。
なお、本実施の形態の塗料としては、例えば蛍光塗料が採用されており、ブラックライトをかざして接着不良箇所の検知を行うようにしている。
【００３０】
次に、防水シートの改修方法について説明する。なお、改修前における平場１と立ち上がり部２との納まり部周辺の構造は、図１に示す状態となっており、例えば経年劣化によって、平場側防水シート４と、最も屋外側に位置する分離シート６との貼り替えが必要となった状況を想定する。
【００３１】
まず、劣化した平場側防水シート４と、最も屋外側に位置する分離シート６とを取り除くようにする。
この時、最も屋外側に位置する分離シート６である立ち上がり部側防水シート５自身の平場側防水シート４側端部は、内側に位置する分離シート６との接着部７を残すようにして切り取る。つまり、接着部７よりも上方の位置で切り取ってしまうと、内側に位置する分離シート６，６は切り離されてしまうことになる。
また、前記劣化した平場側防水シート４は、この平場側防水シート４を挟み込む分離シート６，６との接着部８，８をきれいに取り除くようにする。
【００３２】
このように劣化した平場側防水シート４と、最も屋外側に位置する分離シート６とを取り除くと、図４に示すように、この最も屋外側に位置する分離シート６（１枚目）の内側から他の分離シート６（２枚目）が現出することになる。
また、上述のように分離シート６の延出長さの相違により、さらに３枚目の分離シート６の延出方向側端部も現出することになる。
【００３３】
このように２枚目と３枚目の分離シート６，６が現出したら、図４に示すように、新設される平場側防水シート４の立ち上がり部２側端部を、これら分離シート６，６によって挟み込むとともに、これら分離シート６，６にそれぞれ接着する。
また、新設される平場側防水シート４の立ち上がり部２側端部と分離シート６，６との接着を行うと同時に、接着不良確認用の塗料９を、これら分離シート６，６と平場側防水シート４との接着部８，８よりも内側に位置するようにして塗布する。
そして、接着不良箇所の有無を確認し、接着不良箇所が無ければ、防水シートの改修作業は終了となる。また、このように防水シートの改修作業中に、前記外装材３を取り外す作業を行うことはない。
【００３４】
本実施の形態によれば、前記平場側防水シート４の立ち上がり部側防水シート５側端部は、前記複数の分離シート６，６間に挟み込まれるとともに、該平場側防水シート４を挟み込む複数の分離シート６，６それぞれに接着されているので、前記平場側防水シート４と複数の分離シート６，６とが、平場側防水シート４の表裏面２ヶ所で接着されることになる。これによって、立ち上がり部側防水シート５と平場側防水シート４とを単に重ね合わせながら接着するだけの場合に比して防水性を向上させることができる。
また、前記立ち上がり部側防水シート５と平場側防水シート４とのうち、劣化した方の防水シート４と、前記複数の分離シート６，６，６のうち、最も屋外側に位置する分離シート６とを取り除くことによって、屋外側に位置する分離シート６の内側から他の分離シート６が現出することになる。これによって、防水シートの改修時には、この新たに現出した分離シート６を利用して、再び立ち上がり部２の防水処理を行うことができるので、従来に比して、無駄なコストや施工手間を省略することができる。
【００３５】
また、前記複数の分離シート６，６，６のうち、屋外側に位置する分離シート６によって、この屋外側の分離シート６よりも内側に位置する分離シート６，６が、劣化因子から保護されているので、この内側に位置する分離シート６，６の劣化を確実に防ぐことができる。これによって、防水シートの改修時には、この内側に位置する分離シート６を利用して、再び立ち上がり部２の防水処理を行うことができるので、従来に比して、無駄なコストや施工手間をより確実に省略することができる。
【００３６】
また、前記複数の分離シート６，６，６の延出長さが、複数の分離シート６，６，６が屋外側から内側に向かって並ぶ順に従って長くなるように設定されており、これら複数の分離シート６，６，６の延出方向側端部と、前記平場側防水シート４とがそれぞれ接着されているので、前記複数の分離シート６，６，６と平場側防水シート４との２ヶ所の接着部分（例えば、接着部８，８）は水平方向に離間することになる。すなわち、内側に位置する分離シート６は、屋外側に位置する分離シート６の延出長さよりも長く延出しており、延出する部分を、接着しろとして利用することができるので、平場側防水シート４を接着しやすくなる。これによって、前記平場側防水シート４と複数の分離シート６，６とを、平場側防水シート４の表裏面２ヶ所で容易かつ確実に接着することができる。
【００３７】
また、前記立ち上がり部側防水シート５が備える複数の分離シート６，６，６は少なくとも３枚以上に設定されているので、まず、屋外側に位置する１枚目の分離シート６と、その内側に位置する２枚目の分離シート６との間に平場側防水シート４を挟み込むことができる。さらに、改修時には、平場側防水シート４と１枚目の分離シート６とを取り除いた後、前記２枚目の分離シート６と、その内側に位置する３枚目の分離シート６との間に、新設する平場側防水シート４を挟み込むことができる。これによって、少なくとも２回の防水シートの改修を行うことができる。
【００３８】
また、前記複数の分離シート６，６，６のうち、屋外側に位置する分離シート６と、この屋外側の分離シート６よりも内側に位置する分離シート６との間に、接着不良確認用の塗料９が、前記複数の分離シート６，６と平場側防水シート４との接着部分よりも内側に位置するようにして塗布されているので、接着不良箇所から塗料９が漏出することになる。これによって、接着不良箇所を見つけることができるので、複数の分離シート６，６，６と平場側防水シート４との接着不良を確実に防ぐことができる。
【００３９】
（第２の実施の形態）
次に、図面を参照して本発明の第２の実施の形態について説明する。なお、説明の便宜上、上述した第１の実施の形態とは異なる構成部分のみについて説明する。
【００４０】
図５は本発明に係る立ち上がり部の防水構造の一例を示す断面図である。
本実施の形態において、平場側防水シート４は、立ち上がり部側防水シート５側端部に沿って設けられるとともに互いに分離された２枚の分離シート６，６を備えている。
本実施の形態の分離シート６は、図６に示すように、平場側防水シート４自身の立ち上がり部側防水シート５側端部と、この平場側防水シート４自身の立ち上がり部側防水シート５側端部の裏面（下面）に、該立ち上がり部側防水シート５側端部に沿って接着されて設けられる帯状シートとを指している。すなわち、帯状シートからなる分離シート６を、平場側防水シート４の裏面側に貼着したような形態となっている。
【００４１】
そして、前記立ち上がり部側防水シート５の平場側防水シート４側端部は、図５に示すように、前記複数の分離シート６，６間に挟み込まれるとともに、該立ち上がり部側防水シート５を挟み込む複数の分離シート６，６それぞれに接着されている。
すなわち、前記立ち上がり部側防水シート５の平場側防水シート４側端部は、前記平場側防水シート４自身の立ち上がり部側防水シート５側端部からなる分離シート６と、この分離シート６よりも内側（下側）に位置する前記帯状シートからなる分離シート６との間に挟み込まれている。
また、これら複数の分離シート６，６の延出方向側端部と、前記平場側防水シート４とがそれぞれ接着されている。
さらに、このように複数の分離シート６，６の延出方向側端部と、前記平場側防水シート４とがそれぞれ接着されることによって、これら複数の分離シート６，６と前記平場側防水シート４との２ヶ所の接着部８，８は水平方向に離間することになる。
【００４２】
また、図５に示すように、前記複数の分離シート６，６のうち、屋外側に位置する分離シート６と、この屋外側の分離シート６よりも内側に位置する分離シート６との間に、接着不良確認用の塗料９が、前記接着部８，８よりも内側に位置するようにして塗布されている。
【００４３】
次に、防水シートの改修方法について説明する。
まず、劣化した平場側防水シート４と、最も屋外側に位置する分離シート６とを取り除くようにする。すなわち、本実施の形態においては、最も屋外側に位置する分離シート６が、平場側防水シート４自身の立ち上がり部側防水シート５側端部であるため、劣化した平場側防水シート４そのものを取り除くようにする。
【００４４】
この時、前記内側に位置する分離シート６は、接着部７において前記平場側防水シート４との縁を切り、前記立ち上がり部側防水シート５の下方に残ったままの状態となり、前記立ち上がり部側防水シート５の平場側防水シート４側端部と共に外側に現出することになる。
また、前記立ち上がり部側防水シート５の表裏面２ヶ所の接着部８，８のうち、表面屋外側の接着部８をきれいに取り除くようにする。
【００４５】
このように前記立ち上がり部側防水シート５の平場側防水シート４側端部と、前記内側に位置する分離シート６とが現出したら、平場側防水シート４を新設する。
すなわち、新設の平場側防水シート４を平場１に貼設するとともに、この新設の平場側防水シート４の立ち上がり部側防水シート５側端部と前記内側に位置する分離シート６とを、接着部７において接着し、さらに、該立ち上がり部側防水シート５側端部からなる分離シート６を、前記立ち上がり部側防水シート５側端部の上面に接着する。
つまり、新設の平場側防水シート４自身の立ち上がり部側防水シート５側端部からなる分離シート６と、前記内側に位置する分離シート６とによって、前記立ち上がり部側防水シート５の平場側防水シート４側端部を挟み込むことになる。
【００４６】
また、接着不良確認用の塗料９を、複数の分離シート６，６と立ち上がり部側防水シート５との接着部８，８よりも内側に位置するようにして塗布する。
そして、接着不良箇所の有無を確認し、接着不良箇所が無ければ、防水シートの改修作業は終了となる。また、このように防水シートの改修作業中に、前記外装材３を取り外す作業を行うことはない。
【００４７】
本実施の形態によれば、第１の実施の形態と同じ効果を得ることができるとともに、前記平場側防水シート４が備える複数の分離シート６，６は２枚に設定されているので、改修時には、屋外側に位置する分離シート６よりも下方に位置する分離シート６を、立ち上がり部２側の防水シート５である他方の防水シート５の下方に留めておいたまま、平場側防水シート４と屋外側に位置する分離シート６とを取り除くことができる。これによって、新設される平場側防水シート４と屋外側に位置する分離シート６との貼り替えと、複数の分離シート６，６同士の接着を行うだけで、複数回、防水シートの改修を行うことができる。
【符号の説明】
【００４８】
１  平場
２  立ち上がり部
３  外装材
４  平場側防水シート
５  立ち上がり部側防水シート
６  分離シート
７  接着端部
８  接着部
９  塗料
【図１】
0005631637.tif 000002
【図２】
0005631637.tif 000003
【図３】
0005631637.tif 000004
【図４】
0005631637.tif 000005
【図５】
0005631637.tif 000006
【図６】
0005631637.tif 000007